(57)【特許請求の範囲】
【請求項１】
前方に配置される加工部と、
前記加工部から後方に延びる筒状のハウジングと、
前記ハウジングに収容される駆動源としてのモータと、を備え、
前記ハウジングの外周面が把持部となる手持ち式電動工具において、
前記ハウジングの後側には、前記ハウジングの外周面から内側に凹んだ凹部が形成されており、
前記凹部には前記モータを冷却するための外気を取り入れる開口が形成されており、
前記凹部には、前記開口を覆うフィルターと、前記フィルターを覆うフィルターカバーとが着脱可能に装着されており、
前記フィルターカバーの外周面は、少なくとも一部が把持部を構成し、前記ハウジングの外周面と、前記ハウジングの周方向で略円形の輪郭として連続的に繋がっているとともに、前記ハウジングの前後方向で直線状の輪郭として連続的に繋がっており、
前記凹部は、前記ハウジングの外周面の対向した２箇所に形成されているとともに、
対向した２箇所に形成されている前記凹部には別体の前記フィルターカバーが着脱可能に装着されていることを特徴とする手持ち式電動工具。
【請求項２】
前記フィルターカバーの後端部には前記フィルターカバーを前記凹部から取り外すときに操作する操作部が設けられており、
前記操作部の後端は、前記ハウジングの後端より前方に位置していることを特徴とする請求項１に記載の手持ち式電動工具。
【請求項３】
前記フィルターは、前記フィルターカバーに固定されていることを特徴とする請求項１又は２に記載の手持ち式電動工具。
【発明の詳細な説明】
【技術分野】
【０００１】
本発明は、モータを駆動源とする手持ち式電動工具に関する。
【背景技術】
【０００２】
従来から、例えばディスクグラインダと称される手持ち式電動工具が知られている。この種の手持ち式電動工具は、前方に配置される加工部と、加工部から後方に延びる筒状のハウジングとを備えており、ハウジングには駆動源としてのモータが収容されている。加工部には回転砥石が着脱可能に取り付けられており、この回転砥石によって研削作業等を行うことができる。ハウジングは、使用者が把持するための把持部となっており、この把持部を片手又は両手で把持して作業を行う。片手で把持部を把持するときは、把持部の前側を把持することが一般的な使用形態である。また、両手で把持部を把持する場合は、把持部の前側を一方の手で把持し、後側を他方の手で把持することになる。
【０００３】
このような手持ち式電動工具を使用しての研削作業等においては、被加工材から発生する切粉等の塵埃がモータの冷却用となる外気と共にハウジング内に進入することで、モータ等に不具合を発生させる虞がある。この対策としては、外気を取り入れるためのハウジングの開口にフィルターを設けることが考えられる。例えば下記特許文献１には、開口が形成されるハウジングの後側外周面をフィルターとなるメッシュカバーにより密着状態で且つ一体的に被覆する構成の手持ち式電動工具が開示されている。
【先行技術文献】
【特許文献】
【０００４】
【特許文献１】特開２００２−２８３２５５号公報
【発明の概要】
【発明が解決しようとする課題】
【０００５】
ところが、特許文献１の手持ち式電動工具を把持する場合は、メッシュカバーの縁にできる段差によって把持性が低下する虞がある。
【０００６】
本発明は、上述した課題の存在に鑑みてなされたものであって、その目的は、フィルターを設けたことによる把持性の低下を低減した手持ち式電動工具を提供することである。
【課題を解決するための手段】
【０００７】
本発明に係る手持ち式電動工具は、前方に配置される加工部と、前記加工部から後方に
延びる筒状のハウジングと、前記ハウジングに収容される駆動源としてのモータと、を備え、前記ハウジングの外周面が把持部となる手持ち式電動工具において、前記ハウジングの後側には、前記ハウジングの外周面から内側に凹んだ凹部が形成されており、前記凹部には前記モータを冷却するための外気を取り入れる開口が形成されており、前記凹部には、前記開口を覆うフィルターと、前記フィルターを覆うフィルターカバーとが着脱可能に装着されており、前記フィルターカバーの外周面は、少なくとも一部が把持部を構成し、前記ハウジングの外周面と、前記ハウジングの周方向で略円形の輪郭として連続的に繋がっているとともに、前記ハウジングの前後方向で直線状の輪郭として連続的に繋がっており、前記凹部は、前記ハウジングの外周面の対向した２箇所に形成されているとともに、対向した２箇所に形成されている前記凹部には別体の前記フィルターカバーが着脱可能に装着されていることを特徴とする。
【０００８】
本発明に係る手持ち式電動工具においては、前記フィルターカバーの後端部には前記フィルターカバーを前記凹部から取り外すときに操作する操作部が設けられており、前記操作部の後端は、前記ハウジングの後端より前方に位置するように構成することができる。
【０００９】
また、本発明に係る手持ち式電動工具においては、前記フィルターを前記フィルターカバーに固定することができる。
【発明の効果】
【００１１】
本発明によれば、フィルターを設けたことによる把持性の低下を低減した手持ち式電動工具を提供することができる。
【図面の簡単な説明】
【００１２】
【図１】本発明の一実施形態に係る手持ち式電動工具の斜視図である。
【図２】同手持ち式電動工具の平面図である。
【図３】同手持ち式電動工具の側面図である。
【図４】図２におけるＡ−Ａ断面図であって、一部図示を省略している。
【図５】図４の要部拡大図である。
【図６】図２におけるＢ−Ｂ断面図である。
【図７】図２におけるＣ−Ｃ断面図である。
【図８】同手持ち式電動工具において、フィルターカバーの分解状態を示す斜視図である。
【図９】同手持ち式電動工具において、フィルターカバーを取り外した状態を示す要部平面図である。
【図１０】フィルターカバーを示す図であって、（ａ）は平面図、（ｂ）は側面図、（ｃ）は底面図を示している。
【図１１】フィルターカバーの装着過程を説明するための斜視図である。
【発明を実施するための形態】
【００１３】
以下、本発明を実施するための好適な実施形態について、図１〜図１１を用いて説明する。なお、以下の実施形態では、本発明を手持ち式電動工具であるディスクグラインダに適用する場合を例示して説明する。また、以下の実施形態は、各請求項に係る発明を限定するものではなく、また、実施形態の中で説明されている特徴の組み合わせの全てが発明の解決手段に必須であるとは限らない。
【００１４】
本実施形態に係る手持ち式電動工具であるディスクグラインダ１は、図１〜図３に示すように、工具としての砥石２を装着可能な加工部３と、加工部３から後方に延びる筒状のハウジング５とを備えている。ハウジング５の外周面は、使用者が把持する把持部となる。また、加工部３には砥石２を覆う安全カバー２ａが備えられている。
【００１５】
ハウジング５は、前側に位置する筒形状の前側ハウジング６と、前側ハウジング６の後側に連結される上下半割構造のテールカバー２４とを備えて構成されている。前側ハウジング６とテールカバー２４とは樹脂により製造されている。
【００１６】
前側ハウジング６の主要部は、断面視が略円形の筒状に形成されており、図４に示すように、その内部には砥石２を回転させるための駆動源となるブラシモータ８が収容されている。前側ハウジング６の前端には、インナーケースを介して加工部３を構成するギヤケース１０が連結されている。また、前側ハウジング６の前端部内には、ファンケーシング９が配置されており、そのファンケーシング９が冷却ファン１１の外周を覆っている。冷却ファン１１は、ブラシモータ８の軸１２に一体回転するように取り付けられている。従って、ブラシモータ８の軸１２が回転して、冷却ファン１１が回転することによって、後述するテールカバー２４に設けられた上下一対のフィルターカバー３１，３１等を通して外気（ハウジング５外の空気）が取り込まれる。取り込まれた外気は、ノイズ対策用のコンデンサ１４、整流子１５、ブラシモータ８等を冷却し、その後、ギヤケース１０に形成された排気口から排出される。なお、本実施形態のディスクグラインダ１では、ブラシモータ８を用いているため、ブラシを収容する収容空間が必要となる。このため、図１〜図３に示すように、前側ハウジング６とテールカバー２４の連結部付近において前側ハウジング６とテールカバー２４とを左右方向外側に突出させることによって収容空間を形成している。
【００１７】
ギヤケース１０内には、ブラシモータ８の軸１２の前端部を回転支持するベアリング１６と、ブラシモータ８の軸１２の前端に一体回転するように取り付けられるピニオンギヤ１７とを備えている。このピニオンギヤ１７に噛み合うベベルギヤ１８が、ギヤケース１０内に縦向きに上下一対のベアリング１９，２０を介して支持される駆動軸２１の上部に一体回転するように取り付けられている。駆動軸２１の下部には砥石２（図４では図示を省略）が上下のフランジ２２とナット２３で挟まれた状態で取り付けられる。従って、ブラシモータ８の軸１２が回転することによって、軸１２の回転力がピニオンギヤ１７、ベベルギヤ１８に伝達されて駆動軸２１に伝達され、砥石２が回転する。
【００１８】
上下半割構造のテールカバー２４は、上側テールカバー２４ａと下側テールカバー２４ｂとを備えており、その後壁にＯＮ−ＯＦＦスイッチ２９（図７参照）を備えるとともに電源コード２７が後壁を貫通している。また、テールカバー２４の上下両側には、多数の空気取込孔３２が形成されたフィルターカバー３１を着脱可能に備えている。フィルターカバー３１には、図１０（ｃ）に示すように、メッシュ状のフィルター４１が固定されており、テールカバー２４内への外気取込み時に塵埃が入り込むことがないようにしている。また、上下両側の２箇所に多数の空気取込孔３２が形成されたフィルターカバー３１を配置することで、ブラシモータ８等の冷却に十分な量の外気を効率良く取り入れることができる。
【００１９】
図６に示すように、ディスクグラインダ１の把持部は、断面視略円形の輪郭を有しており、テールカバー２４は、断面視略円形の輪郭の一部を形成するテールカバー外周面２５を有している。テールカバー外周面２５の一部には滑り止め等のための細かい凹凸模様５ａが形成されている。なお、ここでの輪郭には、凹凸模様５ａのような細かい形状は含まれない。また、テールカバー２４の上下両側には、この断面視略円形の輪郭から内側に凹んだ凹部２６を有している。凹部２６は、断面視で円弧状の外郭を有しており、図９に示すように、平面視において後端（図９においては右端）の両角部を面取りしたような矩形領域としてテールカバー２４の前部から後端までの範囲に形成されている。凹部には内外を貫通する開口２６ａが多数形成されており、その後側には、後述するフィルターカバー３１の弾性係止部３３が係止するための被係止部２６ｂが孔として形成されている。凹部２６の左右縁部には前後に延びる溝２６ｃが形成されており、溝２６ｃの前側には、後述するフィルターカバー３１のフック部３４，３４を挿入して係止させるための係止孔２６ｄがそれぞれ形成されている。さらに、溝２６ｃの前後方向後寄りには、後述するフィルターカバー３１の位置決め突起３５，３５を挿嵌させるための位置決め穴２６ｅがそれぞれ形成されている。なお、図９においては、上側の凹部２６のみを詳細に図示しているが、下側の凹部２６も上側の凹部２６と同様の形状を有している。
【００２０】
図６に示すように、フィルターカバー３１は、断面視で概ね円弧状に形成されている円弧状外周部３６と、円弧状外周部３６の左右両側がら上下方向中央に向かって形成される側壁部３７，３７とを有しており、樹脂により製造されている。また、図１０に示すように、フィルターカバー３１は、平面視において後端（図１０においては右端）の両角部を面取りしたような矩形状として形成されており、凹部２６の領域に対応したプロフィールとなっている。円弧状外周部３６は前後に亘って形成されており、その後部以外の領域には六角形状の空気取込孔３２が多数形成されている。なお、一部の六角形状は円弧状外周部３６の外周面に凹設された模様であり貫通はしていない。円弧状外周部３６の後部には、後端から前方に向かって所定に長さを有するスリット３８が所定の間隔で２本形成されており、２本のスリット３８の間には、図５によく示されるように、側面視で円弧状外周部３６から略Ｕ字状に下方へ突出形成されたＵ字状部３３ａと、Ｕ字状部３３ａの後端上部から後方に延びる板状の操作片３３ｂと、操作片３３ｂの下方においてＵ字状部３３ａから後方へ突設された係止突起３３ｃとを有する弾性係止部３３が連設されている。側壁部３７，３７には、前端部に側面視で略Ｊ字状に下方へ突設されたフック部３４，３４と、前後方向後寄りに下方へ突設された位置決め突起３５，３５とが形成されている。円弧状外周部３６の底面（内面）には、図１０（ｃ）に示すように、ナイロンからなるメッシュ状のフィルター４１が、全ての空気取込孔３２を内側から覆った状態で溶着によって固定されている。なお、フィルターカバー３１を凹部２６に装着して状態で、フィルター４１は、全ての開口２６ａを覆うことになる。
【００２１】
次に、テールカバー２４の凹部２６へのフィルターカバー３１の装着について説明する。
【００２２】
テールカバー２４の凹部２６へのフィルターカバー３１を装着する場合は、まず、図１１に示すように、フィルターカバー３１を前側が下方となるように傾斜させて、フック部３４，３４を凹部２６の溝２６ｃ，２６ｃに形成された係止孔２６ｄ，２６ｄに挿入して係止させる。次に、この状態からフック部３４，３４を回動中心としてフィルターカバー３１が凹部２６に沿うように回動させる。回動に伴い、図７に示すように、側壁部３７，３７が溝２６ｃ，２６ｃに挿入されていき、位置決め突起３５，３５が位置決め穴２６ｅ，２６ｅに挿嵌されるとともに、弾性係止部３３のＵ字状部３３ａの下部が被係止部２６ｂに挿入される。そして、フィルターカバー３１を凹部２６に向かって押圧すると、Ｕ字状部３３ａに形成されている係止突起３３ｃが被係止部２６ｂの内面によって押されることでＵ字状部３３ａが弾性変形して、係止突起３３ｃが被係止部２６ｂを乗り越えて係止する（図５参照）。このようにして、テールカバー２４の凹部２６へのフィルターカバー３１の装着が達成される。なお、フィルターカバー３１の装着状態では、弾性係止部３３の操作片３３ｂの後端は、テールカバー２４の後端に対して前方に位置するように構成されている。
【００２３】
装着したフィルターカバー３１を取り外す場合は、弾性係止部３３の操作片３３ｂを凹部２６から浮き上がる方向へ押圧操作し、Ｕ字状部３３ａを弾性変形させて係止突起３３ｃの被係止部２６ｂへの係止を解除させることで、簡単にフィルターカバー３１を凹部２６から取り外すことができる。したがって、フィルター４１の清掃作業を容易に行うことができる。
【００２４】
図６に示すように、テールカバー２４の上下両側の凹部２６に装着されたフィルターカバー３１の円弧状外周部３６の外周面は、テールカバー外周面２５とによって、断面視で略円形の輪郭として連続的に繋がっている。また、図５及び図７に示すように、フィルターカバー３１の円弧状外周部３６の前端部外周面は、テールカバー２４の外周面と前後方向で直線状の輪郭として連続的に繋がっている。したがって、把持したときに違和感を覚えるような段差が存在していないので、把持性が低下することがない。
【００２５】
また、前側ハウジング６、テールカバー２４及びフィルターカバー３１は、同質の硬質材料である樹脂により製造されており、把持したときに感触に違いがほとんどないので、把持性が低下することがない。
【００２６】
さらに、フィルターカバー３１の装着状態では、前端部左右両側のフック部３４，３４が係止孔２６ｄ，２６ｄに係止するとともに、後端部の弾性係止部３３が被係止部２６ｂに係止しているので、フィルターカバー３１が凹部２６から浮き上がる（飛び出す）ことがない。したがって、段差のない状態を維持することができる。
【００２７】
さらに、フィルターカバー３１の装着作業時に、フック部３４，３４の係止孔２６ｄ，２６ｄへの挿入が不完全な場合は、位置決め突起３５，３５が位置決め穴２６ｅ，２６ｅに挿嵌できないことになるので、その状況を作業者が容易に知覚することができる。したがって、フック部３４，３４の係止孔２６ｄ，２６ｄへの挿入が不完全な状況で、弾性係止部３３を被係止部２６ｂに係止させようと無理に押圧してフィルターカバー３１が破損してしまうことを回避することができる。
【００２８】
さらに、フィルターカバー３１の装着状態では、弾性係止部３３の操作片３３ｂの後端は、テールカバー２４の後端に対して前方に位置するように構成されているので、操作片３３ｂが接触等により押圧されて、意図せずフィルターカバー３１が外れることを防止できる。
【００２９】
以上、本発明の好適な実施形態について説明したが、本発明の技術的範囲は上記実施形態に記載の範囲に限定さない。上記実施形態には、多様な変更又は改良を加えることが可能である。
【００３０】
たとえば、上述の実施形態においては、フィルター２８はフィルターカバー１３の内面に固定されていたが、フィルターを単独の部材として構成することもできる。
【００３１】
また、たとえば、上述の実施形態においては、駆動源としてブラシモータ８を採用していたが、これに限定されない。例えば、ブラシレスモータでもよい。
【００３２】
また、たとえば、上述の実施形態においては、フィルターカバー１３はテールカバー２４の外周部に上下方向で対向して装着するように構成されていたが、これに限定されない。例えば、左右方向で対向して装着するように構成してもよい。あるいは、モータの冷却効果が維持できるのであれば、上下あるいは左右のいずれか一方のみに装着するように構成してもよい。
【００３３】
また、たとえば、上述の実施形態においては、把持部は断面視で略円形の輪郭を有していたが、これに限定されない。例えば、楕円形の輪郭を有するように構成してもよい。
【符号の説明】
【００３４】
１        ：ディスクグラインダ
２        ：砥石
２ａ      ：安全カバー
３        ：加工部
５        ：ハウジング
５ａ      ：凹凸模様
６        ：前側ハウジング
８        ：ブラシモータ
９        ：ファンケーシング
１０      ：ギヤケース
１１      ：冷却ファン
１２      ：軸
１３      ：フィルターカバー
１４      ：コンデンサ
１５      ：整流子
１６      ：ベアリング
１７      ：ピニオンギヤ
１８      ：ベベルギヤ
１９      ：ベアリング
２０      ：ベアリング
２１      ：駆動軸
２２      ：フランジ
２３      ：ナット
２４      ：テールカバー
２４ａ    ：上側テールカバー
２４ｂ    ：下側テールカバー
２５      ：テールカバー外周面
２６      ：凹部
２６ａ    ：開口
２６ｂ    ：被係止部
２６ｃ    ：溝
２６ｄ    ：係止孔
２６ｅ    ：位置決め穴
２７      ：電源コード
２８      ：フィルター
２９      ：ＯＮ−ＯＦＦスイッチ
３１      ：フィルターカバー
３２      ：空気取込孔
３３      ：弾性係止部
３３ａ    ：Ｕ字状部
３３ｂ    ：操作片
３３ｃ    ：係止突起
３４      ：フック部
３５      ：位置決め突起
３６      ：円弧状外周部
３７      ：側壁部
３８      ：スリット
４１      ：フィルター  
【図１】
0006646373.tif 000002
【図２】
0006646373.tif 000003
【図３】
0006646373.tif 000004
【図４】
0006646373.tif 000005
【図５】
0006646373.tif 000006
【図６】
0006646373.tif 000007
【図７】
0006646373.tif 000008
【図８】
0006646373.tif 000009
【図９】
0006646373.tif 000010
【図１０】
0006646373.tif 000011
【図１１】
0006646373.tif 000012